(57)【要約】【課題】携帯情報端末において利便性を向上させる。【解決手段】携帯電話機１において、開状態では、基本的には、センサキー１１１，１１２，１１３は表示されない。ただし、携帯電話機１が閉状態から開状態に切換えられるときに、未読メール表示アイコン等の着信アイコンの中のいずれかが表示される場合には、開状態であっても、センサキー１１１，１１２，１１３が表示され、そして、これらのキーに対する操作は有効とされる。具体的には、このような場合、センサキー１１１，１１２，１１３に対する操作は、ディスプレイ１１に表示された着信アイコンを選択して、各着信アイコンに対応するアプリケーションを起動させるための操作として、利用される。【選択図】図７
2008289082.tif 000002
【特許請求の範囲】
【請求項１】
第１の筐体と、
前記第１の筐体に対して、開閉可能に接続された第２の筐体と、
前記第１の筐体と前記第２の筐体が開状態であるか閉状態であるかを検出する状態検出手段と、
前記第１の筐体の、前記閉状態にある場合の外面に設けられた、表示手段と、
外部からの操作を受付け、前記第１の筐体の、前記閉状態にある場合の外面に設けられた第１の操作手段と、
前記第１の操作手段に対する操作に基づいて前記表示手段の表示内容を制御する制御手段とを備え、
前記制御手段は、前記開状態では、前記第１の操作手段に対する操作を無効化する、携帯情報端末。
【請求項２】
前記第１の操作手段の操作部位を照らす発光手段をさらに備え、
前記制御手段は、前記第１の操作手段に対する操作に基づいて前記表示手段の表示内容を制御する場合には前記発光手段を点灯させ、前記開状態とされたことに応じて前記発光手段を消灯させる、請求項１に記載の携帯情報端末。
【請求項３】
前記表示手段は、前記第１の筐体における前記第２の筐体に対向する面の裏面に設けられ、長方形状を有し、
前記第１の操作手段は、前記裏面であって、前記表示手段に対して当該表示手段の長辺方向に隣接する位置に設けられている、請求項１または請求項２に記載の携帯情報端末。
【請求項４】
他の端末装置と通信するための通信手段をさらに備え、
前記制御手段は、
前記閉状態に前記通信手段を介して着信要求を受けた場合には、前記開状態とされたことに応じて前記表示手段にアイコンを表示させ、前記第１の操作手段に対する操作に基づいて前記アイコンに対する操作を受付け、前記アイコンに対する操作がなされたことに応じて前記着信要求に対応したアプリケーションを起動させ、
前記アプリケーションを起動したことに応じて、前記アイコンの前記表示手段における表示を終了させる、請求項１〜請求項３のいずれかに記載の携帯情報端末。
【請求項５】
前記通信手段は、複数種類の着信要求を受付け、
アプリケーションの起動に用いられる第２の操作手段をさらに備え、
前記複数種類の着信要求のそれぞれについて、前記閉状態に着信要求があった場合に前記開状態とされたことに応じて起動されるアプリケーションを特定する情報と前記表示手段に表示させるアイコンを特定する情報とを関連付けて記憶する関連情報記憶手段をさらに備える、請求項４に記載の携帯情報端末。
【請求項６】
前記第１の筐体と前記第２の筐体は、スライド機構により開閉可能に接続されている、請求項１〜請求項５のいずれかに記載の携帯情報端末。
【請求項７】
前記携帯情報端末は、通話機能を有する携帯電話機である、請求項１〜請求項６のいずれかに記載の携帯情報端末。
【発明の詳細な説明】
【技術分野】
【０００１】
本発明は、携帯情報端末に関し、特に、第１の筐体と第２の筐体が開閉可能に接続された携帯情報端末に関する。
【背景技術】
【０００２】
従来から、第１の筐体と第２の筐体が開閉可能に接続された携帯情報端末が流通している。
【０００３】
たとえば、特許文献１（特開２００５−５１４１７号公報）には、開閉状態が切換えられている期間にキー操作部の入力を無効化する技術が開示されている。
【０００４】
また、特許文献２（特開２００５−１３６７７８号公報）には、開閉状態が切換えられた後ではなく、開閉状態の切換えが行なわれている期間から、カメラ機能等の切換え後の状態に対応する機能の起動を開始させる技術が開示されている。
【特許文献１】特開２００５−５１４１７号公報
【特許文献２】特開２００５−１３６７７８号公報
【発明の開示】
【発明が解決しようとする課題】
【０００５】
なお、上記のような携帯情報端末では、第１の筐体と第２の筐体の双方にキー操作部が設けられている場合が多く、第１の筐体と第２の筐体が開状態とされると、より多くのキー操作部が露出する状態となる。また、このような携帯情報端末では、たとえば第１の筐体に、閉じられた状態で表示部が外面に位置するように、表示部が設けられている場合、当該第１の筐体の、表示部が設けられている面と同じ面に、キー操作部が設けられている場合がある。
【０００６】
このような場合、閉状態では、第１の筐体に設けられたキー操作部を用いて表示に関する操作を行なわせ、開状態では、第２の筐体に設けられ当該開状態になってはじめて露出したキー操作部を用いて上記の操作を行なわせることが考えられる。たとえば、状況に応じて最大限の操作性をユーザに提供するためである。具体的には、たとえば、閉状態では、表示部と同じ面（筐体）に設けられたキーを用いて操作させることにより、ユーザに携帯情報端末をコンパクトに利用できるようにさせ、また、開状態では、表示部が設けられていない第２の筐体に設けられたより多くのキーを用いて操作させることにより、ユーザに多くの操作を少ない操作回数で実現できるようにさせることができる。
【０００７】
なお、ますます多くの人が、携帯電話機をはじめ、ＰＤＡ（Personal Digital Assistants）などの携帯情報端末を所有し利用するようになった現状では、このような携帯情報端末に対する利便性の向上は、常に望まれていることである。
【０００８】
また、従来から、携帯電話機等の携帯情報端末は、着信機能に関するアイコンを含む多数のアイコンが表示可能に構成されていた。特に、複数種類の態様アプリケーションでメッセージ（メール文書）の送信が可能に構成された携帯電話機では、それぞれのアプリケーションに対応したアイコンが表示可能とされていた。このような場合に、ユーザは、各アイコン（特に、使い慣れていない機能に対応したアイコン）の意味を理解できず、特定の機能に対応したアプリケーションを使用することができない場合があった。したがって、このような観点からも、携帯情報端末に対する利便性の向上が望まれていた。
【０００９】
本発明は係る実情に鑑み考え出されたものであり、その目的は、携帯情報端末において利便性を向上させることである。
【課題を解決するための手段】
【００１０】
本発明に従った携帯情報端末は、第１の筐体と、前記第１の筐体に対して、開閉可能に接続された第２の筐体と、前記第１の筐体と前記第２の筐体が開状態であるか閉状態であるかを検出する状態検出手段と、前記第１の筐体の、前記閉状態にある場合の外面に設けられた、表示手段と、外部からの操作を受付け、前記第１の筐体の、前記閉状態にある場合の外面に設けられた操作手段と、前記操作手段に対する操作に基づいて前記表示手段の表示内容を制御する制御手段とを備え、前記制御手段は、前記開状態では、前記操作手段に対する操作を無効化することを特徴とする。
【００１１】
また、本発明に従った携帯情報端末は、前記操作手段の操作手段位を照らす発光手段をさらに備え、前記制御手段は、前記第１の操作手段に対する操作に基づいて前記表示手段の表示内容を制御する場合には前記発光手段を点灯させ、前記開状態とされたことに応じて前記発光手段を消灯させることが好ましい。
【００１２】
また、本発明に従った携帯情報端末では、前記表示手段は、前記第１の筐体における前記第２の筐体に対向する面の裏面に設けられ、長方形状を有し、前記第１の操作手段は、前記裏面であって、前記表示手段に対して当該表示手段の長辺方向に隣接する位置に設けられていることが好ましい。
【００１３】
また、本発明に従った携帯情報端末は、他の端末装置と通信するための通信手段をさらに備え、前記制御手段は、前記閉状態に前記通信手段を介して着信要求を受けた場合には、前記開状態とされたことに応じて前記表示手段にアイコンを表示させ、前記操作手段に対する操作に基づいて前記アイコンに対する操作を受付け、前記アイコンに対する操作がなされたことに応じて前記着信要求に対応したアプリケーションを起動させ、前記アプリケーションを起動したことに応じて、前記アイコンの前記表示手段における表示を終了させることが好ましい。
【００１４】
また、本発明に従った携帯情報端末では、前記通信手段は、複数種類の着信要求を受付け、アプリケーションの起動に用いられる第２の操作手段をさらに備え、前記複数種類の着信要求のそれぞれについて、前記閉状態に着信要求があった場合に前記開状態とされたことに応じて起動されるアプリケーションを特定する情報と前記表示手段に表示させるアイコンを特定する情報とを関連付けて記憶する関連情報記憶手段をさらに備えることが好ましい。
【００１５】
また、本発明に従った携帯情報端末では、前記第１の筐体と前記第２の筐体は、スライド機構により開閉可能に接続されていることが好ましい。
【００１６】
また、本発明に従った携帯情報端末では、前記携帯情報端末は、通話機能を有する携帯電話機であることが好ましい。
【発明の効果】
【００１７】
本発明によれば、携帯情報端末において、表示手段の表示態様が、閉状態では第１の操作手段に対する操作に基づいて制御され、開状態では第１の操作手段以外の操作手段に対する操作に基づいて制御される場合に、開状態において制御手段に第１の操作手段に対して操作がなされた場合であっても制御手段に当該操作に基づく余計な動作を行なわせる必要がなくなる。
【００１８】
これにより、開状態においてユーザが第１の操作手段に触れる等の当該第１の操作手段に対する操作と同じ動作をしてしまった場合でも、それによって制御手段に余計な情報が入力されることを回避できる。
【００１９】
また、着信要求を受けた場合にのみ第１の操作手段に対する操作を限定的に受付ける構成とされたため、従来第２の操作部から操作しアプリケーションを起動していた場合と比べ、短時間で所望のアプリケーションを起動することが可能となる。これにより、アプリケーションを起動するためのキー操作を省く（簡略化する）とともに、ユーザがアプリケーションの操作方法をすべて記憶していない場合でも簡単にアプリケーションの起動が可能となる。さらに、アイコンを表示させ、また、アプリケーションの起動に利用することにより、ユーザに、着信要求を受けたアプリケーションの起動を意識させることができる。
【００２０】
したがって、従来の操作部の配置と同様の第２の操作手段によるスライド機構における操作部に対する入力の操作性を改善しつつ、一定の場合に開状態で第１の操作手段に対する操作を受付けることで、閉状態の操作を可能とし、さらに着信機能アイコン（着信要求を受けたことに応じて表示されるアイコン）から、簡単にアプリケーションを起動できるため、従来には無い効果（上記した、着信要求を受けたアプリケーションの起動をユーザに意識させる点）を生み出すものである。
【発明を実施するための最良の形態】
【００２１】
以下、図面を参照しつつ、本発明の一実施の形態である携帯電話機について説明する。
図１（Ａ）および図１（Ｂ）は、携帯電話機１の外観図である。携帯電話機１は、主に第１の筐体２と第２の筐体３から構成される。携帯電話機１では、第１の筐体２と第２の筐体３とが、図示せぬスライド機構により開閉自在に接続されている。図１（Ａ）は、第１の筐体２と第２の筐体３が閉じられた状態（以下、適宜「閉状態」と呼ぶ）を示し、図１（Ｂ）は第１の筐体２と第２の筐体３が開かれた状態（以下、適宜「開状態」と呼ぶ）を示す。
【００２２】
第１の筐体２には、ディスプレイ１１、受話口１２、スピーカ１３が設けられている。第２の筐体３には、送話口１４が設けられている。
【００２３】
第２の筐体３の、携帯電話機１が閉状態とされたときに第１の筐体２に覆われる面には、操作キー２１，２２，２３Ａ〜２３Ｄ，２４〜２８が設けられている。操作キー２１は、電話番号や文字の入力などを行なうときに使用される。操作キー２２は、上下左右の４方向にカーソルを移動させるためのキー（４方向キー）とディスプレイ１１に表示された情報を選択するときなどに操作されるキー（決定キー）を含む。操作キー２３Ａ〜２３Ｄは、各キーに対して与えられた機能を実行するときに操作されるキーである。操作キー２４，２５，２６も同様である。また、操作キー２７，２８は、それぞれ「＊」「♯」を入力するときなどに操作されるキーである。
【００２４】
第２の筐体３の側面には、サイドキー３１〜３６が設けられている。サイドキー３１〜３６は、図１（Ａ）から理解されるように、携帯電話機１が閉状態であっても、操作することができる。
【００２５】
図２は、携帯電話機１のハードウェア構成を模式的に示す図である。
図２を参照して、携帯電話機１、当該携帯電話機１の動作を全体的に制御する制御部５０を備えている。制御部５０は、ＣＰＵ（Central Processing Unit）を含む。また、携帯電話機１は、制御部５０のワークエリアとして機能するＲＡＭ（Random Access Memory）５１を含む。
【００２６】
携帯電話機１では、アンテナ８９を介して、通話に関する情報の送受信およびテレビジョン放送波の受信が行なわれる。通話に関する電波は、通信制御部８０を介して、送受信される。また、アンテナ８９で受信されたテレビジョン放送波は、チューナ８１、変換部８２、およびエンコーダ８３を介して、制御部５０に入力される。
【００２７】
携帯電話機１は、通話の際に音声を出力するレシーバ５６および音声を入力するマイク５８、ならびに、アラーム音やテレビジョン放送の番組の音声などを出力するスピーカ１３を備えている。また、携帯電話機１は、図示せぬカメラ５２、および、携帯電話機１における第１の筐体２と第２の筐体３の開閉状態を検出する状態検出部５９を含む。
【００２８】
携帯電話機１は、さらに、制御部５０のＣＰＵが実行するプログラムなどの種々の情報を記憶する記憶部６０を備えている。
【００２９】
また、携帯電話機１は、外部Ｉ／Ｆ（インターフェース）５３を含み、制御部５０は、当該外部Ｉ／Ｆ５３を介して、ＳＤメモリカード（Secure Digital memory card）５００等の外部の記録媒体に対する情報の読込みおよび書込みを行なう。
【００３０】
記憶部６０は、プログラム記憶部６１、データ記憶部６２、アイコン表示情報記憶部６３を含む。本実施の形態の携帯電話機１では、閉状態で受信した着信要求の種類に応じたアイコン（着信アイコン）が、開状態とされたときに、ディスプレイ１１に表示される。アイコン表示情報記憶部６３には、着信アイコンを表示させるための種々の情報（アイコン表示情報）が記憶されている。表１に、アイコン表示情報の一例を示す。
【００３１】
【表１】
2008289082.tif 000003
【００３２】
表１を参照して、アイコン表示情報には、５つの着信アイコンに関する情報が含まれている。そして、アイコン表示情報には、各着信アイコンについて、着信アイコンの名称、表示を行なうか否かの情報（表示設定）、着信アイコンとして表示される画像を特定するための情報（アイコン特定情報）、および、当該着信アイコンが対応するアプリケーションを特定する情報（対応アプリ）が関連付けられて記憶されている。
【００３３】
そして、アイコン表示情報では、着信アイコンの名称として、未読メール表示アイコン、アプリＡ着信アイコン、アプリＢ着信アイコン、留守番メッセージ表示アイコン、および、メール送信失敗表示アイコンが記憶されている。
【００３４】
また、表１のアイコン表示情報では、アイコン特定情報として、着信アイコンとして表示する画像のファイル名が示されている。なお、アイコン特定情報として記憶される情報としては、他に、着信アイコンとして表示する画像ファイルの保存場所等の情報が挙げられる。このような画像ファイルは、たとえばデータ記憶部６２に記憶される。
【００３５】
また、表１の対応アプリでは、「メール」「アプリＡ」「アプリＢ」「通話」という情報が記憶されている。「アプリＡ」および「アプリＢ」は、アプリケーションを特定する情報の例示として示されている。「メール」は、電子メールの送受信、ならびに、電子メールの編集および閲覧を行なうアプリケーションに対応している。「通話」は、音声通話を行なうアプリケーションに対応している。
【００３６】
制御部５０は、一定時間ごとにネットワーク上のサーバとの接続を確立することにより、携帯電話機１宛ての電子メールがサーバに蓄積されている旨の情報（以下、「第１着信要求」と呼ぶ）、アプリＡについての携帯電話機１宛てのメッセージがサーバに蓄積されている旨の情報（以下、「第２着信要求」と呼ぶ）、アプリＢについての携帯電話機１宛てのメッセージがサーバに蓄積されている旨の情報（以下、「第３着信要求」と呼ぶ）、サーバに当該携帯電話機１宛の留守番電話機能に基づくメッセージが録音されている旨の情報（以下、「第４着信要求」と呼ぶ）、および／または、携帯電話機１から送信されたメールの送信に関して不具合が生じたことによりメール送信処理が異常終了した旨の情報（以下、「第５着信要求」と呼ぶ）がサーバに登録されている場合には、それを受信する。
【００３７】
そして、制御部５０は、第１着信要求を受信すると、表１の未読メール表示アイコンについての表示設定をＯＮにし、第２着信要求を受信すると、表１のアプリＡ着信アイコンについての表示設定をＯＮにし、第３着信要求を受信すると、表１のアプリＢ着信アイコンについての表示設定をＯＮにし、第４着信要求を受信すると、表１の留守電メッセージ表示アイコンについての表示設定をＯＮにし、そして、第５着信要求を受信すると、表１のメール送信失敗表示アイコンについての表示設定をＯＮにする。
【００３８】
携帯電話機１では、閉状態でアプリケーションが起動される際、図３に示されるように、センサキー用ライト１１１Ａ，１１２Ａ，１１３Ａが点灯して、センサキー１１１，１１２，１１３の操作位置が照らされる。以下、このようにセンサキー１１１，１１２，１１３の操作位置が照らされることを、適宜「センサキー１１１，１１２，１１３が表示される」とも言う。また、本実施の形態では、センサキー１１１，１１２，１１３により、第１の操作手段が構成されている。
【００３９】
なお、具体的には、閉状態で、図１（Ａ）に示されたような状態から、サイドキー３１〜３６のいずれかが操作されることにより、携帯電話機１では、ディスプレイ１１に、図４に示されるようにメニュー画面が表示されるとともに、センサキー１１１，１１２，１１３が表示される。そして、センサキー１１１，１１２，１１３に対して適宜操作がなされることにより、制御部５０は、当該操作に対応したプログラムを起動する。図３では、プログラムが起動されている状態の一例として、テレビジョン放送の番組を表示するプログラムが起動されている状態が示されている。
【００４０】
携帯電話機１では、センサキー１１１，１１２，１１３は、ディスプレイ１１と同じ面に、当該ディスプレイ１１に隣接する位置に設けられている。具体的には、ディスプレイ１１およびセンサキー１１１，１１２，１１３は、第１の筐体２の、第２の筐体３と対向する面の裏面に、設けられている。
【００４１】
ディスプレイ１１は、長方形状を有し、図３に示されるように、その長辺方向を水平方向と一致させた状態で文字を正立させて表示させることができる。このようなディスプレイ１１に対して、センサキー１１１，１１２，１１３は、長辺方向に隣接するように（つまり、図３に示された状態では、ディスプレイ１１がその長辺方向を左右方向と一致するように示されているため、左右方向に隣接するように）、設けられている。
【００４２】
特に、携帯電話機１では、センサキー１１１，１１２，１１３は、携帯電話機１が図３または図４に示された状態にあるときにディスプレイ１１の右側に位置するように、設けられている。これにより、図５に示されるように、ユーザが、携帯電話機１（第１の筐体２および第２の筐体３）を片手Ｈ（右手）で把持して操作する場合、当該右手の親指でセンサキー１１１，１１２，１１３を操作することができる。
【００４３】
なお、ディスプレイ１１の形状は、これに限定されない。また、ディスプレイ１１が長方形状を有していることを前提に、長辺方向や短辺方向という文言を使用している。この場合の長方形状、長辺方向、短辺方向という文言は、ディスプレイ１１の形状が角を丸みが帯びたように変形された場合であっても、同様に適合されることを意図している。
【００４４】
携帯電話機１では、開状態にされたとき、基本的には、センサキー用ライト１１１Ａ，１１２Ａ，１１３Ａは消灯され、図６に示すようにセンサキー１１１，１１２，１１３は表示されない。しかしながら、後述するように、閉状態でなんらかの着信要求があった後に開状態に切換えられたときには、開状態であっても、ディスプレイ１１に着信アイコンが表示させるとともに、センサキー１１１，１１２，１１３が表示される。図７に、このような条件下での開状態の携帯電話機１を示す。
【００４５】
図７では、ディスプレイ１１に、表１を参照して説明した５つの着信アイコンのすべてが表示されている状態が示されている。図８に、５つの着信アイコンを拡大したものを示す。
【００４６】
図７および図８を参照して、携帯電話機１では、制御部５０は、アイコン表示情報（表１参照）に従って、ディスプレイ１１に着信アイコン１２１〜１２５のそれぞれについての表示を行なうか否かを決定する。着信アイコン１２１は、未読メール表示アイコンの一例である。着信アイコン１２２は、アプリＡ着信アイコンの一例である。着信アイコン１２３は、アプリＢ着信アイコンの一例である。着信アイコン１２４は、留守番メッセージ表示アイコンの一例である。そして、着信アイコン１２５は、メール送信失敗表示アイコンの一例である。なお、図８において、各アイコンが矢印でつながれているのは、後述する、点滅表示の対象とされるアイコンの変更態様を示すものであって、ディスプレイ１１には、当該矢印は表示されない。
【００４７】
ここで、制御部５０が実行する、着信アイコンの表示に関連して実行する処理であるオープンジャンプ処理について、当該処理のフローチャートである図９および図１０を参照して説明する。なお、制御部５０は、オープンジャンプ処理を、常時実行していても良いし、図９にステップＳ１０として示したような閉状態から開状態への切換えが検出されたときの割り込み処理として実行しても良い。
【００４８】
図９を参照して、オープンジャンプ処理では、制御部５０は、まずステップＳ１０で、携帯電話機１が閉状態から開状態に切換えられたか否かを判断し、切換えられたと判断するとステップＳ１２へ処理を進める。
【００４９】
ステップＳ１２では、制御部５０は、アイコン表示情報（表１参照）を参照して、少なくとも１つの表示設定がＯＮであるか否かを判断し、そうであると判断するとステップＳ１４へ処理を進め、そうではない（すべての表示設定がＯＦＦである）と判断すれば、そのまま処理を終了させる。つまり、ステップＳ１２において、制御部５０が、すべての表示設定がＯＦＦであると判断した場合には、開状態に切換えられた後の携帯電話機１では、図６に示されたように、ディスプレイ１１に着信アイコンが表示されず、また、センサキー１１１，１１２，１１３が表示されない。そして、このようにセンサキー１１１，１１２，１１３が表示されない場合には、制御部５０は、センサキー１１１，１１２，１１３に対する操作を無効化する。なお、操作を無効化するとは、具体的には、たとえば、これらのキーに対して操作がなされても、制御部５０が当該操作に対応しては何ら動作を実行しないこと、または、これらのキーに対して操作がなされても制御部５０には何ら信号が入力されないようにすること、が挙げられる。
【００５０】
ステップＳ１４では、制御部５０は、アイコン表示情報において表示設定がＯＮとされている着信アイコンをディスプレイ１１に表示させて、ステップＳ１６へ処理を進める。なお、ステップＳ１４では、制御部５０は、表示設定がＯＮとされたアイコンについて、アイコン特定情報で記憶されているファイル名の画像ファイルをデータ記憶部６２等の記憶手段から読出し、そして、対応する画像を、ディスプレイ１１に表示させる。なお、携帯電話機１では、アイコン表示情報に情報を記憶された５つのアイコンのそれぞれについて、ディスプレイ１１における表示位置は予め決定されている。各アイコンの表示位置を特定する情報は、たとえばデータ記憶部６２に記憶されている。
【００５１】
ステップＳ１６では、制御部５０は、図７に示すように、センサキー用ライト１１１Ａ，１１２Ａ，１１３Ａを点灯させて、ステップＳ１８へ処理を進める。
【００５２】
ステップＳ１８では、制御部５０は、センサキー１１１，１１２，１１３に対して操作がなされたか否かを判断し、操作がなされたと判断すると、ステップＳ２０へ処理を進める。一方、センサキー１１１，１１２，１１３に対して操作がなされる前に、ディスプレイ１１に表示されている着信アイコンに対応するアプリケーション（対応アプリで特定されるアプリケーション）が起動されたことを検出した場合には、制御部５０は、ステップＳ２８へ処理を進め、さらに、ステップＳ３０（図１０参照）へ処理を進める。
【００５３】
図１０を参照して、ステップＳ３０では、制御部５０は、ステップＳ２８で起動されたと判断したアプリケーションに関連付けられている着信アイコンの表示設定をＯＦＦにし、そして、当該着信アイコンのディスプレイ１１における表示を終了させて、ステップＳ３２へ処理を進める。
【００５４】
ステップＳ３２では、ステップＳ３０で表示設定の内容が変更されたことにより、アイコン表示情報のすべての表示設定がＯＦＦとなったか否かを判断し、そうなったと判断すると、オープンジャンプ処理を終了させる。一方、まだ少なくとも１つの表示設定がＯＮとされている場合には、制御部５０は、ステップＳ１８へ処理を戻す。
【００５５】
図９に戻って、ステップＳ２０では、制御部５０は、センサキー１１１，１１２，１１３を用いた、アプリケーションを起動するための操作がなされたか否かを判断し、そのような操作がなされたと判断するとステップＳ２４へ処理を進め、なされていないと判断するとステップＳ２２へ処理を進める。
【００５６】
ここで、センサキー１１１，１１２，１１３を用いた、アプリケーションを起動するための操作について、説明する。
【００５７】
図７に示したように、開状態において、ディスプレイ１１に着信アイコン１２１〜１２５の少なくとも１つが表示された場合、センサキー１１３が操作されることにより、着信アイコン１２１〜１２５の中の最も左側に表示されたアイコンが点滅表示される。なお、センサキー１１１，１１２，１１３のいずれもが所定時間操作されない状態が継続した場合、またはセンサキー１１１，１１２，１１３以外のキーが操作された場合には、当該点滅表示は解消される。
【００５８】
着信アイコン１２１〜１２５の中のディスプレイ１１に表示されている着信アイコンの中で、点滅表示させる着信アイコンは、センサキー１１１またはセンサキー１１２を操作することにより、変更させることができる。具体的には、センサキー１１１を操作されることにより、制御部５０は、その時点で点滅表示させているアイコンの点滅表示を終了させるとともに、当該アイコンの右隣に表示させているアイコン（その時点で右端に表示されていたアイコンが点滅表示していた場合には、左端に表示されているアイコン）を点滅表示させる。たとえば、着信アイコン１２１〜１２５のすべてがディスプレイ１１に表示されているときにセンサキー１１１が操作されると、点滅表示される着信アイコンは、操作回数に応じて、図８の矢印で示されるように、時計回りで、順に変更される。
【００５９】
図９に戻って、着信アイコン１２１〜１２５の中のいずれかが点滅表示されている状態でセンサキー１１３が操作されることにより、制御部５０は、その時点で点滅表示させていた着信アイコンに対応するアプリケーションを起動するための操作がなされたと判断する。そして、このような判断をすることにより、制御部５０は、ステップＳ２０からステップＳ２４へ処理を進める。
【００６０】
ステップＳ２４では、制御部５０は、アイコン表示情報において、操作対象となった着信アイコンに関連付けられたアプリケーションを起動して、ステップＳ２６へ処理を進める。
【００６１】
ステップＳ２６では、制御部５０は、ステップＳ２４で起動させたアプリケーションに関連付けられている着信アイコンの表示設定をＯＦＦにし、そして、当該着信アイコンのディスプレイ１１における表示を終了させて、ステップＳ３２へ処理を進める。
【００６２】
以上説明した本実施の形態では、携帯電話機１において、センサキー１１１，１１２，１１３は、閉状態においてデジタルテレビ（テレビジョン放送の番組の閲覧）などのアプリケーションの起動とともに表示されるが、開状態とされると、図６に示されたように、表示されなくなる。制御部５０は、センサキー用ライト１１１Ａ，１１２Ａ，１１３Ａを点灯させて、図３、図４および図７に示したようにセンサキー１１１，１１２，１１３を表示し、また、センサキー用ライト１１１Ａ，１１２Ａ，１１３Ａを消灯させて、図６に示したようにセンサキー１１１，１１２，１１３が表示されていない状態とする。
【００６３】
なお、制御部５０は、センサキー用ライト１１１Ａ，１１２Ａ，１１３Ａを消灯させることによってセンサキー１１１，１１２，１１３を表示されない状態としているときには、当該センサキー１１１，１１２，１１３に対する操作を無効化する。したがって、このような状態では、センサキー１１１，１１２，１１３のいずれかに対して操作がなされても、制御部５０には、情報は入力されない。
【００６４】
制御部５０は、開状態では、基本的には、センサキー１１１，１１２，１１３を表示されない状態とする。
【００６５】
ただし、図７を参照して説明したように、携帯電話機１が閉状態から開状態に切換えられるときに、アイコン表示情報においていずれかの着信アイコンについての表示設定がＯＮとされている場合には、開状態であっても、センサキー１１１，１１２，１１３が表示され、そして、制御部５０には、これらのキーに対する操作に対応して、情報（信号）が入力される。つまり、この場合、センサキー１１１，１１２，１１３に対する操作は、有効とされる。具体的には、このような場合、センサキー１１１，１１２，１１３に対する操作は、ディスプレイ１１に表示された着信アイコンを選択して、各着信アイコンに対応するアプリケーションを起動させるための操作として、利用される。
【００６６】
ここで、センサキー１１１，１１２，１１３の表示について、図１１を参照して説明する。図１１は、携帯電話機１における、センサキー１１１近傍の断面図である。
【００６７】
図１１を参照して、センサキー１１１は、制御基板２０２上に設けられた接触検出部１１１２、および、パッド２０１に設けられた凸部１１１１を含む。
【００６８】
パッド２０１は、携帯電話機１の、ディスプレイ１１が設けられた面の外郭を覆う板体２００よりも内側に設けられている。
【００６９】
板体２００は、たとえば透明の樹脂板からなる。接触検出部１１１２は、たとえば圧電素子からなる。また、携帯電話機１には、制御基板２０２を内部側から支持する支持板２０３がさらに設けられている。
【００７０】
パッド２０１および制御基板２０２は、不透明または半透明な材料によって構成されている。そして、パッド２０１は、凸部１１１１の外周部分に孔２０１Ａを形成されている。また、制御基板２０２は、接触検出部１１２の外周部分であって、孔２０１Ａに対向する部分に、孔２０２Ａを形成されている。また、支持板２０３の、孔２０２Ａに対向する部分には、孔２０３Ａが形成されている。
【００７１】
センサキー用ライト１１１Ａが点灯することにより、孔２０３Ａ，２０２Ａ，２０１Ａおよび板体２００を介して、センサキー用ライト１１１Ａが発した光が、携帯電話機１の外部に到達する。これにより、ユーザは、センサキー１１１の近傍が点灯していることを視認できる。なお、図１１において、矢印Ｒ１，Ｒ２は、センサキー用ライト１１１Ａから出た光が進む方向を示している。
【００７２】
以上図１１を参照して説明したように、センサキー用ライト１１１Ａが点灯することにより、センサキー１１１が表示される。
【００７３】
また、センサキー１１２，１１３についても、同様に、センサキー用ライト１１２Ａ，１１３Ａが点灯することにより、表示される。なお、センサキー用ライト１１１Ａ，１１２Ａ，１１３Ａは、たとえば発光ダイオードによって構成される。
【００７４】
また、携帯電話機１では、センサキー１１１，１１２，１１３は、図７に示されるように、第１の筐体２上であって、ディスプレイ１１よりも第２の筐体３側に設けられている。これにより、センサキー１１１，１１２，１１３は、第２の筐体３上に設けられた操作キー２１等の各種キーと比較的近い位置に設けられることになるため、ユーザが操作をしやすい位置に配置されていると言える。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】本発明の一実施の形態である携帯電話機の斜視図である。
【図２】図１の携帯電話機のハードウェア構成を模式的に示す図である。
【図３】図１の携帯電話機が閉状態にあるときの、ディスプレイの表示態様の一例を示す図である。
【図４】図１の携帯電話機が閉状態にあるときの、ディスプレイの表示態様の他の例を示す図である。
【図５】図１の携帯電話機が閉状態にあるときに、当該携帯電話機をユーザが把持する態様を模式的に示す図である。
【図６】図１の携帯電話機が開状態とされたときの、ディスプレイの表示態様の一例を示す図である。
【図７】図１の携帯電話機が開状態とされたときの、ディスプレイの表示態様の他の例を示す図である。
【図８】図７のディスプレイにおいて表示されている着信アイコンの拡大図である。
【図９】図１の携帯電話機の制御部が実行するオープンジャンプ処理のフローチャートである。
【図１０】図１の携帯電話機の制御部が実行するオープンジャンプ処理のフローチャートである。
【図１１】図１の携帯電話機における、センサキー付近の部分的な断面図である。
【符号の説明】
【００７７】
１  携帯電話機、２  第１の筐体、３  第２の筐体、１１  ディスプレイ、１２  受話口、１３  スピーカ、１４  送話口、２１，２２，２３Ａ〜２３Ｄ，２４〜２８  操作キー、３１〜３６  サイドキー、５０  制御部、６０  記憶部、６１  プログラム記憶部、６２  データ記憶部、６３  アイコン表示情報記憶部、１１１〜１１３  センサキー、１１１Ａ〜１１３Ａ  センサキー用ライト、１２１〜１２５  着信アイコン。
【図１】
2008289082.tif 000004
【図２】
2008289082.tif 000005
【図３】
2008289082.tif 000006
【図４】
2008289082.tif 000007
【図５】
2008289082.tif 000008
【図６】
2008289082.tif 000009
【図７】
2008289082.tif 000010
【図８】
2008289082.tif 000011
【図９】
2008289082.tif 000012
【図１０】
2008289082.tif 000013
【図１１】
2008289082.tif 000014